(57)【要約】【課題】ユーザが簡単な操作で、磁気テープメディアに記録された複数の放送方式のアナログ映像音声情報をＤＶＤなどのデジタル記録メディア１枚に対して自動的にダビングをできるダビング装置を提供する。【解決手段】ユーザがダビング操作を行った時に、磁気テープメディアに記録されている放送方式を判別し、デジタル記録メディアに記録されている放送方式と異なる放送方式を判別している時、デジタル記録メディアへの記録を一時停止し、放送方式と同じ放送方式を判別している時、デジタル記録メディアへの記録を行う。【選択図】図１
2005310283.tif 000002
【特許請求の範囲】
【請求項１】
磁気テープメディアに記録されたアナログ映像音声情報を再生、及び、磁気テープメディアの早送り及びＶＩＳＳサーチを行う、磁気テープメディア駆動再生手段と、デジタル記録メディアに対して書込み及び読出しを行うデジタル記録メディアアクセス手段と、前記磁気テープメディア駆動再生手段によって再生されたアナログ映像音声情報をデジタル映像音声情報に変換し、前記デジタル記録メディアアクセス手段に出力するアナログデジタル変換手段と、ユーザ入力及び、ユーザに対する出力を行うユーザインターフェース部と、情報の記憶を行う記憶部を備えたダビング装置において、前記磁気テープメディア駆動再生手段から磁気テープメディアに記録されている放送方式を判別する磁気テープメディア用放送方式判別手段と、前記磁気テープメディア駆動再生手段に対して磁気テープメディアの早送り及びＶＩＳＳサーチを処理する磁気テープメディア駆動手段と、前記磁気テープメディア駆動再生手段に対して磁気テープメディアの再生処理を行う磁気テープメディア再生手段と、前記アナログデジタル変換手段に対してデジタル記録メディアへ前記磁気テープメディア駆動手段からのアナログ映像音声情報をデジタル映像音声情報に変換し前記デジタル記録メディアアクセス手段に出力させ、デジタル映像音声情報をデジタル記録メディアに対して書込みを行うように処理するデジタル記録手段と、前記前記デジタル記録メディアアクセス手段からデジタル記録メディアに記録されている放送方式を取得するデジタル記録メディア用放送方式取得手段を有し、前記ユーザインターフェイス部からダビング操作が入力された時、前記デジタル記録メディア用放送方式取得手段を用いて、デジタル記録メディアに記録されている放送方式を取得し、デジタル記録メディアへの記録と磁気テープメディアの再生が同時に行われるよう前記デジタル記録手段と前記磁気テープメディア再生手段に指令しダビングを開始する。その後、前記磁気テープメディア用放送方式判別手段を用いて、磁気テープメディアに記録されている放送方式を判別し、前記磁気テープメディア用放送方式判別手段よりデジタル記録メディアに記録されている放送方式と異なる放送方式を判別している時、前記デジタル記録手段に対して記録を一時停止し、デジタル記録メディアに記録されている放送方式と同じ放送方式を判別している時、記録を行うよう指令する制御部を有する事を特徴とするダビング装置。
【請求項２】
前記磁気テープメディア用放送方式判別手段よりデジタル記録メディアに記録されている放送方式と異なる放送方式を判別している時、前記磁気テープ駆動手段に対して早送り、又は、早送り再生を行い、デジタル記録メディアに記録されている放送方式と同じ放送方式を判別している時、前記磁気テープメディア再生手段に対して再生を行うように指示する制御部を備える事を特徴としたダビング装置。
【請求項３】
前記磁気テープメディア用放送方式判別手段よりデジタル記録メディアに記録されている放送方式と異なる放送方式を判別した時、前記磁気テープ駆動手段に対してＶＩＳＳサーチを行い、デジタル記録メディアに記録されている放送方式と同じ放送方式を判別している時、前記磁気テープメディア再生手段に対して再生を行うように指示する制御部を備える事を特徴としたダビング装置。
【請求項４】
前記磁気テープメディア用放送方式判別手段よりデジタル記録メディアに記録されている放送方式と異なる放送方式を判別している時、前記ユーザインターフェイス部に警告表示を行い、ダビングを一時停止していることを促す事を特徴とするダビング装置。
【請求項５】
前記ユーザインターフェイス部からダビング操作が入力された時、前記デジタル記録メディア用放送方式取得手段よりデジタル記録メディアに記録されている放送方式の取得結果から、前記ユーザインターフェイス部に録画する放送方式を表示する事を特徴とするダビング装置。
【請求項６】
前記デジタル記録メディア用放送方式取得手段よりデジタル記録メディアに記録されている放送方式が存在しない時、前記ユーザインターフェイス部に録画する放送方式を選択させるメッセージを表示する事を特徴とするダビング装置。
【請求項７】
ダビング中前記磁気テープメディア用放送方式判別手段より複数の放送方式が判別された磁気テープメディアが、磁気テープメディアを取り出しせずに、再度前記ユーザインターフェース部よりダビング操作が行われ、且つ、前記デジタル記録メディア用放送方式取得手段よりデジタル記録メディアに記録されている放送方式が存在しない時、前記ユーザインターフェイス部に録画する放送方式を選択させるメッセージを表示する事を特徴とするダビング装置。
【請求項８】
異なる放送方式よりなる複数のコンテンツを記録した第１の記録媒体から、第２の記録媒体へコンテンツのダビングを行うダビング装置であって、ダビング時、前記第１の記録媒体に記録されたコンテンツの中から、所定の放送方式で記録されたコンテンツを選択的に第２の記録媒体へダビング可能なことを特徴とするダビング装置。
【請求項９】
異なる放送方式よりなる複数のコンテンツを記録した第１の記録媒体から、第２の記録媒体へコンテンツのダビングを行うダビング装置であって、ダビング時、前記第１の記録媒体に記録されたコンテンツの中から、所定の放送方式で記録されたコンテンツを選択的に第２の記録媒体へダビングするよう命令を行ったあと、前記第１の記録媒体を再生状態とし、前記第２の記録媒体を記録状態とし、前記第１の記録媒体において前記所定の放送方式以外のコンテンツが再生された時は前記第２の記録媒体の記録動作を停止し、前記所定の放送方式のコンテンツが再生された時は前記第２の記録動作を開始することを特徴とするダビング装置。
【発明の詳細な説明】
【技術分野】
【０００１】
本発明は、磁気テープメディアに記録されるアナログ映像音声情報を再生するアナログ再生機能と、ＤＶＤ（デジタル多用途ディスク）などのデジタル記録メディアに対してデジタル映像音声情報を記録する機能を有する複合機であり、特に磁気テープメディアの内容をＤＶＤにダビングできるように構成された映像音声記録装置である。
【背景技術】
【０００２】
例えば、映画などの映像音声情報を記録するのに、従来から知られているアナログ的に記録する磁気テープ（例えばＶＨＳテープ。なお「ＶＨＳ」は日本ビクター株式会社の登録商標）や、近年の圧縮符号化技術の発達に伴い普及しつつあるデジタル的に記録するＤＶＤなどが用いられている。磁気テープを駆動させて情報を記録／再生する装置としてはＶＣＰ（ビデオカセットプレイヤー）などがあり、また、光ディスクを駆動させて情報を記録／再生する装置としてはＤＶＤレコーダーなどがある。
【０００３】
ところで、最近では、上記のようなＶＣＰとＤＶＤレコーダーが一体化した複合機が提案されている。このような複合機は、磁気テープに記録されている情報をＤＶＤにダビングすることができる機能を有している。また、ＶＨＳテープに記録している映像記録情報をＤＶＤに移し変え、保管スペースを有効活用するという市場ニーズも向上している。
【０００４】
従来技術として、例えば、特開平１−１１２５６６号公報に示される映像音声記録再生装置が知られている。この映像音声記録再生装置では、異なる放送方式（ＮＴＳＣ／ＰＡＬ／ＳＥＣＡＭ）の映像情報が入力されたとき、同一記録媒体上に放送方式の異なる記録情報が混在することを防止したものである。
【０００５】
即ちこの構成によると、異なる放送方式のアナログ映像音声情報が記録された磁気テープの内容をＤＶＤにダビングする際に記憶してある放送方式と異なる放送方式の映像音声情報が入力された時、ダビング処理を行わないように構成されている。
【特許文献１】特開平１−１１２５６６号公報
【発明の開示】
【発明が解決しようとする課題】
【０００６】
しかしながら、上述した映像音声記録再生装置では、例えば異なる放送方式のアナログ映像音声情報が記録された１本のＶＨＳテープをＤＶＤにダビングしたい時、異なる放送方式のアナログ映像音声情報が入力された時点でダビング処理を終了するため、テープの終端までダビング処理が行われないという課題を有している。つまり、１本のテープにＮＴＳＣ方式のコンテンツとＰＡＬ方式のコンテンツとが混在しているものにおいて、ＮＴＳＣのコンテンツのみをＤＶＤにダビングするよう機器に対して操作命令を行う場合、テープにおいてＰＡＬ方式のコンテンツを再生し始めると、ダビング動作自体を停止してしまう。
【０００７】
本発明は、上記のような課題を解決するためになされたもので、ユーザが簡単な操作でＶＨＳテープなどの磁気テープメディアに記録されている単一の放送方式のアナログ映像音声情報のみをＤＶＤなどのデジタル記録メディア１枚にダビングできるダビング装置を提供する事を目的としている。
【課題を解決するための手段】
【０００８】
上記目的を達成するために請求項１の発明は、磁気テープメディアに記録されたアナログ映像音声情報を再生、及び、磁気テープメディアの早送り及びＶＩＳＳサーチを行う、磁気テープメディア駆動再生手段と、デジタル記録メディアに対して書込み及び読出しを行うデジタル記録メディアアクセス手段と、前記磁気テープメディア駆動再生手段によって再生されたアナログ映像音声情報をデジタル映像音声情報に変換し、前記デジタル記録メディアアクセス手段に出力するアナログデジタル変換手段と、ユーザ入力及び、ユーザに対する出力を行うユーザインターフェース部と、情報の記憶を行う記憶部を備えたダビング装置において、前記磁気テープメディア駆動再生手段から磁気テープメディアに記録されている放送方式を判別する磁気テープメディア用放送方式判別手段と、前記磁気テープメディア駆動再生手段に対して磁気テープメディアの早送り及びＶＩＳＳサーチを処理する磁気テープメディア駆動手段と、前記磁気テープメディア駆動再生手段に対して磁気テープメディアの再生処理を行う磁気テープメディア再生手段と、前記アナログデジタル変換手段に対してデジタル記録メディアへ前記磁気テープメディア駆動手段からのアナログ映像音声情報をデジタル映像音声情報に変換し前記デジタル記録メディアアクセス手段に出力させ、デジタル映像音声情報をデジタル記録メディアに対して書込みを行うように処理するデジタル記録手段と、前記前記デジタル記録メディアアクセス手段からデジタル記録メディアに記録されている放送方式を取得するデジタル記録メディア用放送方式取得手段を有し、前記ユーザインターフェイス部からダビング操作が入力された時、前記デジタル記録メディア用放送方式取得手段を用いて、デジタル記録メディアに記録されている放送方式を取得し、デジタル記録メディアへの記録と磁気テープメディアの再生が同時に行われるよう前記デジタル記録手段と前記磁気テープメディア再生手段に指令しダビングを開始する。その後、前記磁気テープメディア用放送方式判別手段を用いて、磁気テープメディアに記録されている放送方式を判別し、前記磁気テープメディア用放送方式判別手段よりデジタル記録メディアに記録されている放送方式と異なる放送方式を判別している時、前記デジタル記録手段に対して記録を一時停止し、デジタル記録メディアに記録されている放送方式と同じ放送方式を判別している時、記録を行うよう指令する制御部を有する事を特徴とするダビング装置を提供する。
【０００９】
この構成において、前記ユーザインターフェイス部からダビング操作が入力された時、まず前記デジタル記録メディア用放送方式取得手段を用いて、デジタル記録メディアに記録されている放送方式を取得し、デジタル記録メディアへ前記磁気テープメディアに記録されているアナログ映像音声情報のダビングを開始する。
【００１０】
そして、ダビング中に前記磁気テープメディア用放送方式判別手段よりデジタル記録メディアに記録されている放送方式と異なる放送方式を判別している時、前記デジタル記録手段に対して記録を一時停止し、デジタル記録メディアに記録されている放送方式と同じ放送方式を判別している時、記録を行う。
【００１１】
また、請求項２の発明は請求項１記載のダビング装置において、前記磁気テープメディア用放送方式判別手段よりデジタル記録メディアに記録されている放送方式と異なる放送方式を判別している時、前記磁気テープ駆動手段に対して早送り、又は、早送り再生を行い、デジタル記録メディアに記録されている放送方式と同じ放送方式を判別している時、前記磁気テープメディア再生手段に対して再生を行うように指示する制御部を備える事を特徴としたダビング装置を提供する。
【００１２】
また、請求項３の発明は請求項１記載のダビング装置において、前記磁気テープメディア用放送方式判別手段よりデジタル記録メディアに記録されている放送方式と異なる放送方式を判別した時、前記磁気テープ駆動手段に対してＶＩＳＳサーチを行い、デジタル記録メディアに記録されている放送方式と同じ放送方式を判別している時、前記磁気テープメディア再生手段に対して再生を行うように指示する制御部を備える事を特徴としたダビング装置を提供する。
【００１３】
また、請求項４の発明は請求項１記載のダビング装置において、前記磁気テープメディア用放送方式判別手段よりデジタル記録メディアに記録されている放送方式と異なる放送方式を判別している時、前記ユーザインターフェイス部に警告表示を行い、ダビングを一時停止していることを促す事を特徴とするダビング装置を提供する。
【００１４】
また、請求項５の発明は請求項１記載のダビング装置において、前記ユーザインターフェイス部からダビング操作が入力された時、前記デジタル記録メディア用放送方式取得手段よりデジタル記録メディアに記録されている放送方式の取得結果から、前記ユーザインターフェイス部に録画する放送方式を表示する事を特徴とするダビング装置を提供する。
【００１５】
また、請求項６の発明は請求項１記載のダビング装置において、前記デジタル記録メディア用放送方式取得手段よりデジタル記録メディアに記録されている放送方式が存在しない時、前記ユーザインターフェイス部に録画する放送方式を選択させるメッセージを表示する事を特徴とするダビング装置を提供する。
【００１６】
また、請求項７の発明は請求項１記載のダビング装置において、ダビング中前記磁気テープメディア用放送方式判別手段より複数の放送方式が判別された磁気テープメディアが、磁気テープメディアを取り出しせずに、再度前記ユーザインターフェース部よりダビング操作が行われ、且つ、前記デジタル記録メディア用放送方式取得手段よりデジタル記録メディアに記録されている放送方式が存在しない時、前記ユーザインターフェイス部に録画する放送方式を選択させるメッセージを表示する事を特徴とするダビング装置を提供する。
【発明の効果】
【００１７】
請求項１により簡単なユーザ操作で例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚にダビングを行うダビング装置を得る。
【００１８】
また、請求項２により簡単なユーザ操作で例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚により短い時間でダビングを行うダビング装置を得る。
【００１９】
また、請求項３により簡単なユーザ操作で例えばＶＨＳテープなどの磁気テープメディア一本に記録されている複数の放送方式のアナログ映像音声情報から単一の放送方式のアナログ映像音声情報のみを、番組の先頭から例えばＤＶＤなどのデジタル記録メディア１枚により短い時間でダビングを行うダビング装置を得る。
【００２０】
また、請求項４により、誤った操作を行わないダビング装置を得る事ができ、ダビングの信頼性が向上する。
【００２１】
また、請求項５により、ダビングを行う放送方式を認識できるダビング装置を得る事ができ、ダビングの操作性が向上する。
【００２２】
また、請求項６により簡単なユーザ操作で録画する放送方式を選択することで、例えばＶＨＳテープなどの磁気テープメディア一本に記録されているアナログ映像音声情報から単一の放送方式のアナログ映像音声情報のみを、例えばＤＶＤなどのデジタル記録メディア１枚にダビングを行うダビング装置を得る。
【００２３】
また、請求項７により簡単なユーザ操作で録画する放送方式を選択することで、例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚にダビングを行うダビング装置を得る。
【発明を実施するための最良の形態】
【００２４】
本発明の請求項１に記載の発明は、磁気テープメディアに記録されたアナログ映像音声情報を再生、及び、磁気テープメディアの早送り及びＶＩＳＳサーチを行う、磁気テープメディア駆動再生手段と、デジタル記録メディアに対して書込み及び読出しを行うデジタル記録メディアアクセス手段と、前記磁気テープメディア駆動再生手段によって再生されたアナログ映像音声情報をデジタル映像音声情報に変換し、前記デジタル記録メディアアクセス手段に出力するアナログデジタル変換手段と、ユーザ入力及び、ユーザに対する出力を行うユーザインターフェース部と、情報の記憶を行う記憶部を備えたダビング装置において、前記磁気テープメディア駆動再生手段から磁気テープメディアに記録されている放送方式を判別する磁気テープメディア用放送方式判別手段と、前記磁気テープメディア駆動再生手段に対して磁気テープメディアの早送り及びＶＩＳＳサーチを処理する磁気テープメディア駆動手段と、前記磁気テープメディア駆動再生手段に対して磁気テープメディアの再生処理を行う磁気テープメディア再生手段と、前記アナログデジタル変換手段に対してデジタル記録メディアへ前記磁気テープメディア駆動手段からのアナログ映像音声情報をデジタル映像音声情報に変換し前記デジタル記録メディアアクセス手段に出力させ、デジタル映像音声情報をデジタル記録メディアに対して書込みを行うように処理するデジタル記録手段と、を有し、前記ユーザインターフェイス部からダビング操作が入力された時、前記デジタル記録メディア用放送方式取得手段を用いて、デジタル記録メディアに記録されている放送方式を取得し、デジタル記録メディアへの記録と磁気テープメディアの再生が同時に行われるよう前記デジタル記録手段と前記磁気テープメディア再生手段に指令しダビングを開始する。その後、前記磁気テープメディア用放送方式判別手段を用いて、磁気テープメディアに記録されている放送方式を判別し、前記磁気テープメディア用放送方式判別手段よりデジタル記録メディアに記録されている放送方式と異なる放送方式を判別している時、前記デジタル記録手段に対して記録を一時停止し、デジタル記録メディアに記録されている放送方式と同じ放送方式を判別している時、記録を行う機能を有する。
【００２５】
また、請求項２に記載の発明は、上記請求項１に記載の発明において、前記磁気テープメディア用放送方式判別手段よりデジタル記録メディアに記録されている放送方式と異なる放送方式を判別している時、前記磁気テープ駆動手段に対して早送り、又は、早送り再生を行い、デジタル記録メディアに記録されている放送方式と同じ放送方式を判別している時、前記磁気テープメディア再生手段に対して再生を行う機能を有する。
【００２６】
また、請求項３に記載の発明は、上記請求項１に記載の発明において、前記磁気テープメディア用放送方式判別手段よりデジタル記録メディアに記録されている放送方式と異なる放送方式を判別した時、前記磁気テープ駆動手段に対してＶＩＳＳサーチを行い、デジタル記録メディアに記録されている放送方式と同じ放送方式を判別している時、前記磁気テープメディア再生手段に対して再生を行う機能を有する。
【００２７】
また、請求項４に記載の発明は、上記請求項１に記載の発明において、前記磁気テープメディア用放送方式判別手段よりデジタル記録メディアに記録されている放送方式と異なる放送方式を判別している時、前記ユーザインターフェイス部に警告表示を行い、ダビングを一時停止していることを促す機能を有する。
【００２８】
また、請求項５に記載の発明は、上記請求項１に記載の発明において、前記ユーザインターフェイス部からダビング操作が入力された時、前記デジタル記録メディア用放送方式取得手段よりデジタル記録メディアに記録されている放送方式の取得結果から、前記ユーザインターフェイス部に録画する放送方式を表示する機能を有する。
【００２９】
また、請求項６に記載の発明は、上記請求項１に記載の発明において、前記デジタル記録メディア用放送方式取得手段よりデジタル記録メディアに記録されている放送方式が存在しない時、前記ユーザインターフェイス部に録画する放送方式を選択させるメッセージを表示する機能を有する。
【００３０】
また、請求項７に記載の発明は、上記請求項１に記載の発明において、ダビング中前記磁気テープメディア用放送方式判別手段より複数の放送方式が存在する磁気テープメディアが、磁気テープメディアを取り出しせずに、再度前記ユーザインターフェース部よりダビング操作が行われ、且つ、前記デジタル記録メディア用放送方式取得手段よりデジタル記録メディアに記録されている放送方式が存在しない時、前記ユーザインターフェイス部に録画する放送方式を選択させるメッセージを表示する機能を有する。
【００３１】
また、請求項８に記載の発明は、異なる放送方式よりなる複数のコンテンツを記録した第１の記録媒体から、第２の記録媒体へコンテンツのダビングを行うダビング装置であって、ダビング時、前記第１の記録媒体に記録されたコンテンツの中から、所定の放送方式で記録されたコンテンツを選択的に第２の記録媒体へダビング可能なことを特徴とするものである。
【００３２】
また、請求項９に記載の発明は、異なる放送方式よりなる複数のコンテンツを記録した第１の記録媒体から、第２の記録媒体へコンテンツのダビングを行うダビング装置であって、ダビング時、前記第１の記録媒体に記録されたコンテンツの中から、所定の放送方式で記録されたコンテンツを選択的に第２の記録媒体へダビングするよう命令を行ったあと、前記第１の記録媒体を再生状態とし、前記第２の記録媒体を記録状態とし、前記第１の記録媒体において前記所定の放送方式以外のコンテンツが再生された時は前記第２の記録媒体の記録動作を停止し、前記所定の放送方式のコンテンツが再生された時は前記第２の記録動作を開始することを特徴とするものである。
【００３３】
以下に図を用いて本発明の実施の形態を説明する。
【００３４】
（実施の形態１）
図1は本発明でのダビング装置の構成を示すブロック図である。
【００３５】
図１において、１はアナログ映像音声情報を記録再生することができる磁気テープメディアであり、３は磁気テープメディア１に記録されたアナログ映像音声情報を再生、及び、磁気テープメディアの早送り及びＶＩＳＳサーチを行う、磁気テープメディア駆動再生手段であり、２はデジタル映像音声情報を記録再生することができるデジタル記録メディアであり、５はデジタル記録メディア２に対して書込み及び読出しを行うデジタル記録メディアアクセス手段であり、４は磁気テープメディア駆動再生手段３によって再生されたアナログ映像音声情報をデジタル映像音声情報に変換し、デジタル記録メディアアクセス手段５に出力するアナログデジタル変換手段であり、１４はユーザ入力及び、ユーザに対する出力を行うユーザインターフェース部であり、１２は情報の記憶を行う記憶部であり、１１は磁気テープメディア駆動再生手段３から磁気テープメディア１に記録されている放送方式を垂直同期信号によって６０ＨｚならばＮＴＳＣ方式、５０ＨｚならＰＡＬ、ＳＥＣＡＭ及び、ＭＥＳＥＣＡＭ方式と判別する磁気テープメディア用放送方式判別手段であり、１０は磁気テープメディア駆動再生手段３に対して磁気テープメディアの早送り及びＶＩＳＳサーチを処理する磁気テープメディア駆動手段であり、８は磁気テープメディア駆動再生手段３に対して磁気テープメディア１の再生処理を行う磁気テープメディア再生手段であり、７はアナログデジタル変換手段４に対してデジタル記録メディアへ前記磁気テープメディア駆動手段からのアナログ映像音声情報をデジタル映像音声情報に変換しデジタル記録メディアアクセス手段５に出力させ、デジタル映像音声情報をデジタル記録メディアに対して書込みを行うように処理するデジタル記録手段であり、６はデジタル記録メディアアクセス手段５からデジタル記録メディア２に記録されている放送方式を取得するデジタル記録メディア用放送方式取得手段であり、１３は磁気テープメディア用放送方式判別手段１１で判別した放送方式とデジタル記録メディア用放送方式取得手段６で取得した放送方式が異なる時、ユーザインターフェイス部１４に警告表示を行い、ダビングを一時停止していることを促すことができ、また、デジタル記録メディア用放送方式取得手段６で取得した放送方式が存在しない時、ユーザインターフェイス部１４に録画する放送方式を選択させるメッセージを表示することができる警告発生手段であり、１５はユーザインターフェイス部１４からダビング操作が入力を受け、デジタル記録メディア用放送方式取得手段６とデジタル記録手段７と磁気テープメディア再生手段８と磁気テープメディア駆動手段１０と磁気テープメディア用放送方式判別手段１１と記憶部１２と警告発生手段１３を制御する制御部である。
【００３６】
上記の様に構成されたダビング装置は、簡単なユーザ操作で例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚にダビングを行うダビング装置を得ることができ、また、簡単なユーザ操作で例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚により短い時間でダビングを行うダビング装置を得ることができ、また、簡単なユーザ操作で例えばＶＨＳテープなどの磁気テープメディア一本に記録されている複数の放送方式のアナログ映像音声情報から単一の放送方式のアナログ映像音声情報のみを、番組の先頭から例えばＤＶＤなどのデジタル記録メディア１枚により短い時間でダビングを行うダビング装置を得ることができ、また、誤った操作を行わないダビング装置を得ることができ、また、ダビングを行う放送方式を認識できるダビング装置を得る事ができ、また、簡単なユーザ操作で録画する放送方式を選択することで、例えばＶＨＳテープなどの磁気テープメディア一本に記録されているアナログ映像音声情報から単一の放送方式のアナログ映像音声情報のみを、例えばＤＶＤなどのデジタル記録メディア１枚にダビングを行うダビング装置を得ることができ、また、簡単なユーザ操作で録画する放送方式を選択することで、例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚にダビングを行うダビング装置を得ることができる。
【００３７】
次に図２と図１を用いてＶＨＳテープからＤＶＤへのダビングする実施例を説明する。
【００３８】
Ｍ１はダビング元となるＶＨＳテープメディアであり、Ｔ１はＶＨＳテープメディアＭ１の全記憶領域であり、ＰＧ１はＶＨＳテープメディアＭ１に記録されている放送方式Ａの番組Ａであり、ＰＧ２はＶＨＳテープメディアＭ１に記録されている放送方式Ｂの番組Ｂであり、ＰＧ３はＶＨＳテープメディアＭ１に記録されている放送方式Ａの番組Ｃであり、ＰＧ４はＶＨＳテープメディアＭ１に記録されている放送方式Ｃの番組Ｄであり、ＰＧ５はＶＨＳテープメディアＭ１に記録されている放送方式Ａの番組Ｅであり、Ｍ２はダビング先となるダビング前のＤＶＤメディアでありＲＡはＤＶＤメディアＭ２の全記憶領域であるＤＶＤ全領域であり、Ｒ１はダビング前のＤＶＤメディアＭ２に既に映像音声情報が記録されている既記録領域であり、Ｒ２はダビング前のＤＶＤメディアＭ２で情報が記録されていない空き領域であり、Ｍ３は、ダビング後のＤＶＤメディアである。
【００３９】
制御部１５はユーザインターフェイス部１４からダビング操作が入力された時、デジタル記録メディア用放送方式取得手段６を用いて、デジタル記録メディア２に記録されている放送方式を取得し、デジタル記録メディア２への記録と磁気テープメディア１の再生が同時に行われるようデジタル記録手段７と磁気テープメディア再生手段８に指令しダビングを開始する。その後、磁気テープメディア用放送方式判別手段１１を用いて、磁気テープメディア１に記録されている放送方式を判別し、磁気テープメディア用放送方式判別手段１１よりデジタル記録メディア２に記録されている放送方式と異なる放送方式を判別している時、デジタル記録手段７に対して記録を一時停止し、デジタル記録メディア２に記録されている放送方式と同じ放送方式を判別している時、記録を行うよう指令する機能を有し、その機能を用いることで空き領域Ｒ２に対して放送方式Ａの番組ＡＰＧ１、放送方式Ａの番組ＣＰＧ３、放送方式Ａの番組ＥＰＧ５のみのダビングを行いダビング後のＤＶＤメディアＭ３を作成することができる。
【００４０】
また、制御部１５は磁気テープメディア用放送方式判別手段１１よりデジタル記録メディア２に記録されている放送方式と異なる放送方式を判別している時、磁気テープ駆動手段１０に対して早送り、又は、早送り再生を行い、デジタル記録メディア２に記録されている放送方式と同じ放送方式を判別している時、磁気テープメディア再生手段８に対して再生を行う機能を有し、その機能を用いることでより短い時間でダビングを行うことができる。
【００４１】
また、制御部１５は磁気テープメディア用放送方式判別手段１１よりデジタル記録メディア２に記録されている放送方式と異なる放送方式を判別した時、磁気テープ駆動手段１０に対してＶＩＳＳサーチを行い、デジタル記録メディア２に記録されている放送方式と同じ放送方式を判別している時、磁気テープメディア再生手段８に対して再生を行う機能を有し、その機能を用いることでより短い時間でダビングを行うことができる。
【００４２】
また、制御部１５は磁気テープメディア用放送方式判別手段１１よりデジタル記録メディア２に記録されている放送方式と異なる放送方式を判別している時、ユーザインターフェイス部１４に警告表示を行い、ダビングを一時停止していることを促す機能を有し、誤った操作を行わないことができる。
【００４３】
また、制御部１５はユーザインターフェイス部１４からダビング操作が入力された時、デジタル記録メディア用放送方式取得手段６よりデジタル記録メディアに記録されている放送方式の取得結果から、ユーザインターフェイス部１４に録画する放送方式を表示する機能を有し、ダビングを行う放送方式を認識できる。
【００４４】
また、制御部１５はデジタル記録メディア用放送方式取得手段１１よりデジタル記録メディア２に記録されている放送方式が存在しない時、ユーザインターフェイス部１４に録画する放送方式を選択させるメッセージを表示する機能を有し、簡単なユーザ操作で録画する放送方式を選択することで、例えばＶＨＳテープなどの磁気テープメディア一本に記録されているアナログ映像音声情報から単一の放送方式のアナログ映像音声情報のみを、例えばＤＶＤなどのデジタル記録メディア１枚にダビングを行うことができる。
【００４５】
また、制御部１５はダビング中磁気テープメディア用放送方式判別手段１１の判別結果及び、磁気テープメディア１を取り出したかどうかの情報を記憶部１２に書き込む。ユーザインターフェース部１４よりダビング操作が行われ、且つ、デジタル記録メディア用放送方式取得手段１１よりデジタル記録メディア２に記録されている放送方式が存在しない時、記憶部１２から読み出した磁気テープメディア１の情報が、複数の放送方式が存在し、取り出ししていない時、ユーザインターフェイス部１４に録画する放送方式を選択させるメッセージを表示する機能を有することで、例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚にダビングを行うことができる。
【００４６】
次に、図３に示すフローチャートを用いて図１で示す構成を用いて磁気テープメディアからデジタル記録メディアにダビングする実施例の手順を詳細に説明する。実施例における磁気テープメディアはＶＨＳテープであり、デジタル記録メディアはＤＶＤである。
【００４７】
ＳＡはダビングダビング操作が行われたときに実行する自動ダビング処理ＳＡであり、ＳＢはダビング実行中の処理ＳＢである。
【００４８】
自動ダビング処理ＳＡでは、まず、デジタル記録メディア２に記録されている放送方式を取得しているかを確認する（Ｓ０）。放送方式を取得していなければ、デジタル記録メディア２に記録されている放送方式の取得を行う(Ｓ１）。既に放送方式を取得している時Ｓ２を行う。なお、Ｓ０は必須ではない。Ｓ０を必要としない場合は、Ｓ１を行う。
【００４９】
Ｓ２にて、デジタル記録メディア２記録されている放送方式が存在しないかの判断を行う。デジタル記録メディア２に記録されている放送方式が存在しない時、録画する放送方式を選択させるメッセージを表示（Ｓ３）し、録画する放送方式を選択されるのを待つ。記録されている放送方式が存在する時、録画する放送方式を表示する（Ｓ４）。なお、Ｓ２、Ｓ３及びＳ４は必須では無い。
【００５０】
次にＶＨＳテープの再生（Ｓ４）と、ＤＶＤの記録を開始し（Ｓ５）、ダビング実行処理ＳＢに移行する。
【００５１】
ダビング実行処理ＳＢでは、ＶＨＳテープに記録されている放送方式を判別し（Ｓ１２）、ＶＨＳテープに記録されている放送方式と前記デジタル記録メディア２に記録されている放送方式が同じかどうかの判断を行い（Ｓ1３）、Ｓ1３にて放送方式が同じ場合、ＶＨＳの再生（Ｓ1４）とＤＶＤの録画（Ｓ１５）を行う。Ｓ１３にて放送方式が異なる場合、ダビング一時停止のメッセージを表示（Ｓ１６）し、ＶＨＳの早送り、早送り再生又はＶＩＳＳサーチ（Ｓ1７）とＤＶＤの録画一時停止（Ｓ１８）を行う。なお、Ｓ１６及びＳ１７は必須ではない。
【００５２】
Ｓ２１にて、ＶＩＳＳサーチ中はＶＨＳテープに記録されている放送方式の判別が行われないため、ＶＩＳＳサーチが終了したかどうかの判断を行う。ＶＩＳＳサーチが終了したなら、ＶＨＳを再生する（Ｓ２２）。なお、Ｓ２１及びＳ２２はＶＩＳＳサーチを行わなければ必要無い。
【００５３】
ＶＨＳの終端が検出される（Ｓ１０）、又はＤＶＤの空き領域が無くなった時（Ｓ１１）、ＶＨＳテープを停止し（Ｓ１９）、ＤＶＤを停止させ（Ｓ２０）自動ダビングを終了する。
【００５４】
上記にて説明したように、簡単なユーザ操作で例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚にダビングを行うダビング装置を得ることができ、また、簡単なユーザ操作で例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚により短い時間でダビングを行うダビング装置を得ることができ、また、簡単なユーザ操作で例えばＶＨＳテープなどの磁気テープメディア一本に記録されている複数の放送方式のアナログ映像音声情報から単一の放送方式のアナログ映像音声情報のみを、番組の先頭から例えばＤＶＤなどのデジタル記録メディア１枚により短い時間でダビングを行うダビング装置を得ることができ、また、誤った操作を行わないダビング装置を得ることができ、また、ダビングを行う放送方式を認識できるダビング装置を得る事ができ、また、簡単なユーザ操作で録画する放送方式を選択することで、例えばＶＨＳテープなどの磁気テープメディア一本に記録されているアナログ映像音声情報から単一の放送方式のアナログ映像音声情報のみを、例えばＤＶＤなどのデジタル記録メディア１枚にダビングを行うダビング装置を得ることができ、また、簡単なユーザ操作で録画する放送方式を選択することで、例えばＶＨＳテープなどの磁気テープメディア一本に記録されている複数の放送方式のアナログ映像音声情報から単一の放送方式のアナログ映像音声情報のみを、例えばＤＶＤなどのデジタル記録メディア１枚にダビングを行うダビング装置を得ることができる。
【００５５】
なお、録画側のデジタル記録メディアはどのような媒体であってもかまわない。なお、再生側の磁気テープメディアはどのような媒体であってもかまわない。この時、記録メディアは複数の放送方式で録画されているものとする。
【産業上の利用可能性】
【００５６】
本発明は、磁気テープメディアからディスクへのダビング装置に関するものであるが、ダビング元およびダビング先のメディアはこれらに限定されるものではなく、いろいろなものに応用可能である。
【図面の簡単な説明】
【００５７】
【図１】本発明の実施の形態のダビング装置の構成を示すブロック図
【図２】同実施の形態におけるＶＨＳテープからＤＶＤへのダビング実施例を示す模式図
【図３】同実施の形態におけるＶＨＳテープからＤＶＤへのダビング動作を示すフローチャート
【符号の説明】
【００５８】
１    磁気テープメディア
２    デジタル記録メディア
３    磁気テープメディア駆動再生手段
４    アナログデジタル変換手段
５    デジタル記録メディアアクセス手段
６    デジタル記録メディア放送方式取得手段
７    デジタル記録手段
８    磁気テープメディア再生手段
１０    磁気テープメディア駆動手段
１１    磁気テープメディア放送方式判別手段
１２    記憶部
１３    警告発生手段
１４    ユーザインターフェース部
１５    制御部
【図１】
2005310283.tif 000003
【図２】
2005310283.tif 000004
【図３】
2005310283.tif 000005